(57)【要約】【課題】  肥料等の農業用散布物を左右方向に分散させ、均等に散布できるようにするとともに、容易かつ手軽に作業できるようにして、農作業を行う際における使い勝手（使い易さ）及び利便性を確保する。【解決手段】  手で把持できる柄部２とこの柄部２の先端に設けた農具本体部３を有する多機能農具１を構成するに際して、農具本体部３を、上面部を開放した収容部３ｃと、この収容部３ｃの先端に設け、当該収容部３ｃに収容した農業用散布物Ｄを、当該収容部３ｃを傾斜させることにより、少なくとも所定幅Ｌｗにわたって外部に排出可能な散布機能を備える排出面３ｅｓを有する排出部３ｅとにより構成する。【選択図】  図１
2015097490.tif 000002
【特許請求の範囲】
【請求項１】
手で把持できる柄部とこの柄部の先端に設けた農具本体部を有する多機能農具であって、前記農具本体部を、上面部を開放した収容部と、この収容部の先端に設け、当該収容部に収容した農業用散布物を、当該収容部を傾斜させることにより、少なくとも所定幅にわたって外部に排出可能な散布機能を備える排出面を有する排出部とにより構成してなることを特徴とする多機能農具。
【請求項２】
前記排出部は、前記排出面に、排出方向に沿った複数の溝部を、左右方向に配列形成してなることを特徴とする請求項１記載の多機能農具。
【請求項３】
前記排出部は、前記排出面の先端辺に、前後に凹凸となる波形状部を形成してなることを特徴とする請求項１又は２記載の多機能農具。
【請求項４】
前記収容部は、左右に位置して対峙する一対の側面部を排出方向に沿った平行面に形成してなることを特徴とする請求項１又は２記載の多機能農具。
【請求項５】
前記収容部は、前記一対の側面部の少なくとも一方における上端辺にノコギリ刃形状部を設けてなることを特徴とする請求項１〜４のいずれかに記載の多機能農具。
【請求項６】
前記柄部は、後端部を閉塞し、少なくとも後端部の径寸法を、土壌に形成する種蒔用穴の径と同じ大きさに形成してなることを特徴とする請求項１〜５のいずれかに記載の多機能農具。
【発明の詳細な説明】
【技術分野】
【０００１】
本発明は、手で把持できる柄部とこの柄部の先端に設けた農具本体部を基本構成とした多機能農具に関する。
【背景技術】
【０００２】
一般に、農作業においては、土壌の、草取り作業，耕し作業，肥料散布作業，種蒔き作業等の一連の農作業が必要になる。ところで、近時、住宅の庭に畑を設けることにより家庭菜園を楽しむ人も増えており、このような比較的小規模の畑に適した農具も提案されている。例えば、特許文献１には肥料散布作業に用いる散布装置が開示され、特許文献２には耕し作業に用いるスコップが開示され、特許文献３には草取り作業に用いる鎌が開示されるなど、各種の小規模農作業等に適した農具も知られている。一方、このような農具は一つの作業に用いる専用の農具となるため、各作業毎に農具を用意しなければならない難点がある。このため、複数の作業に兼用して使用できる、いわば多機能農具も提案されている。
【０００３】
従来、このような多機能農具としては、特許文献４で開示される土掘りシャベル及び特許文献５で開示される手作業具が知られている。
【０００４】
同文献４で開示される土掘りシャベルは、盆栽や園芸作物の根際に穴を開け肥料を散布出来る土掘りシャべルの提供を目的としたものであり、具体的には、盆栽や園芸作物の根際の土壌に穴を開け肥料を散布するのに使う土掘りシャベルにおいて、ステンレス材のパイプでなる本体の片方の開口部に取っ手を一体化し、他方の開口部を傾斜状に切込んだ本体の中空部に滑動自在のピストンが、本体に切り込まれたスリットから外部に飛び出すハンドルに一体化し、これらが、園芸作物の根際の土壌に差し込まれた本体が中空部に土壌を詰め込んだまま抜き取られることで、パイプの太さで穴が開き、肥料を埋め込み可能にし、そして、中空部に詰まった土壌が、ハンドル操作でピストンが動き、開口部より排出取り出し可能に構成したものである。
【０００５】
また、同文献５で開示される手作業具は、家庭菜園や庭園などにおいて、穴掘り、種蒔き、移植、施肥、土の運搬などを手作業で行う際に役立つ、小型で単一の手作業具の提供を目的としたものであり、蓋が装着される開口と円形の底面とを有する収納部と、第一の開口端は掘削刃を具有し、第二の開口端は前記収納部に外嵌し、中間は筒状空間を形成する掘削部と、を備えるとともに、収納部は、前記開口近傍の外壁に、雄ねじか形成されたものであって、蓋は、開口に螺合する内ねじを具備した側壁と、振出口か形成された天板とを有する蓋本体、及び該天板に接着された第一部材と、該第一部材に螺着され該振出口を開閉自在に覆う第二部材とを有する蓋板を備え、第一の開口端は、楕円形の周縁を有し、外側の半周縁には、平掘削刃が達続的に形成され、内側の半周縁には山形掘削刃が複数形成されたものである。
【先行技術文献】
【特許文献】
【０００６】
【特許文献１】特開２００６−２９６４０８号公報
【特許文献２】特開平８−２６０５０２号公報
【特許文献３】実願平５−０５８７３８号公報
【特許文献４】特開２０１０−２７３６６５号公報
【特許文献５】実用新案登録第３１７８３４２号公報
【発明の概要】
【発明が解決しようとする課題】
【０００７】
しかし、上述した従来の多機能農具は、次のような問題点があった。
【０００８】
第一に、複数の機能を有するとしてもそれぞれが十分に機能しているとは言いにくい。即ち、肥料を散布できるとしても均等かつ効率的な散布を行いにくく、また、土壌を掘ったり移動させることができるとしても多量かつ能率的に行いにくいなど、複数の機能を有するとしても良好な農作業を行う観点からは必ずしも十分とは言えない。
【０００９】
第二に、全体として必ずしも使い易い構成とは言えない。即ち、複数の機能部分が組合わされるも、全体として一つの農具として見た場合、例えば、持ち易い，操作し易いなどの面においては十分な考慮がなされているとは言えず、容易かつ手軽に使用する観点からは使い勝手（使い易さ）及び利便性に難がある。
【００１０】
本発明は、このような背景技術に存在する課題を解決した多機能農具の提供を目的とするものである。
【課題を解決するための手段】
【００１１】
本発明は、上述した課題を解決するため、手で把持できる柄部２とこの柄部２の先端に設けた農具本体部３を有する多機能農具１を構成するに際して、農具本体部３を、上面部を開放した収容部３ｃと、この収容部３ｃの先端に設け、当該収容部３ｃに収容した農業用散布物Ｄを、当該収容部３ｃを傾斜させることにより、少なくとも所定幅Ｌｗにわたって外部に排出可能な散布機能を備える排出面３ｅｓを有する排出部３ｅとにより構成してなることを特徴とする。
【００１２】
この場合、発明の好適な態様により、排出部３ｅは、排出面３ｅｓに、排出方向Ｆｅに沿った複数の溝部１１…を、左右方向Ｆｗに配列形成することが望ましい。なお、排出部３ｅには、排出面３ｅｓの先端辺に、前後に凹凸となる波形状部１２を形成することもできる。一方、収容部３ｃは、左右に位置して対峙する一対の側面部３ｃｐ，３ｃｑを排出方向Ｆｅに沿った平行面に形成することができる。また、収容部３ｃには、一対の側面部３ｃｐ，３ｃｑの少なくとも一方における上端辺にノコギリ刃形状部１３を設けることもできる。さらに、柄部２には、後端部２ｒを閉塞し、少なくとも後端部２ｒの径Ｌｄ寸法を、農地の土壌Ｇに形成する種蒔用穴Ｇｈの径と同じ大きさに形成することもできる。
【発明の効果】
【００１３】
このような構成を有する本発明に係る多機能農具１によれば、次のような顕著な効果を奏する。
【００１４】
（１）  農具本体部３を、上面部を開放した収容部３ｃと、この収容部３ｃの先端に設け、当該収容部３ｃに収容した農業用散布物Ｄを、当該収容部３ｃを傾斜させることにより、少なくとも所定幅Ｌｗにわたって外部に排出可能な散布機能を備える排出面３ｅｓを有する排出部３ｅとにより構成したため、肥料等の農業用散布物Ｄを左右方向Ｆｗに分散させ、所定幅Ｌｗにわたって均等に散布できる。
【００１５】
（２）  基本構造として、手で把持できる柄部２とこの柄部２の先端に設けた農具本体部３を有するため、スコップ等のように柄部２を手で持って容易かつ手軽に作業することができるなど、農作業を行う際における使い勝手（使い易さ）及び利便性に優れる。
【００１６】
（３）  好適な態様により、排出部３ｅの排出面３ｅｓに、排出方向Ｆｅに沿った複数の溝部１１…を、左右方向Ｆｗに配列形成すれば、農業用散布物Ｄを散布する際に、当該農業用散布物Ｄが側面部に当たるなどにより排出面３ｅｓの中央付近に集まってしまう弊害を回避できるため、農業用散布物Ｄを、排出面３ｅｓの左右方向Ｆｗへ確実に分散させ、より均等で能率的な散布を行うことができる。
【００１７】
（４）  好適な態様により、排出部３ｅにおける排出面３ｅｓの先端辺に、前後に凹凸となる波形状部１２を形成すれば、土壌Ｇに対する、砕く，耕す，削る，掘るなどを効果的に行うことができ、より利便性及び多様性を高めることができる。
【００１８】
（５）  好適な態様により、収容部３ｃにおける左右に位置して対峙する一対の側面部３ｃｐ，３ｃｑを排出方向Ｆｅに沿った平行面として形成すれば、収容部３ｃを土壌Ｇに対してより進入させ易くなるため、移植鏝としての機能性をより高めることができる。
【００１９】
（６）  好適な態様により、収容部３ｃにおける一対の側面部３ｃｐ，３ｃｑの少なくとも一方における上端辺にノコギリ刃形状部１３を設ければ、草等に対する切断能力を付加できるため、鎌としての草刈り機能を兼用させることができる。
【００２０】
（７）  好適な態様により、柄部２に、後端部２ｒを閉塞し、少なくとも後端部２ｒの径Ｌｄ寸法を、土壌Ｇに形成する種蒔用穴Ｇｈの径と同じ大きさに形成すれば、柄部２に、穴明け機能を兼用させることができる。
【図面の簡単な説明】
【００２１】
【図１】本発明の好適実施形態に係る多機能農具の断面側面図、
【図２】同多機能農具の正面図、
【図３】同多機能農具の平面図、
【図４】同多機能農具の一部破断背面図、
【図５】同多機能農具の使用方法説明図、
【図６】同多機能農具における収容部の変更例を示す断面側面図、
【図７】同変更例の収容部を有する多機能農具の使用方法説明図、
【図８】同多機能農具における収容部の他の変更例を示す平面図、
【図９】同多機能農具における柄部の変更例を示す断面側面図、
【発明を実施するための形態】
【００２２】
次に、本発明に係る好適実施形態を挙げ、図面に基づき詳細に説明する。
【００２３】
まず、本実施形態に係る多機能農具１の構成について、図１〜図４を参照して具体的に説明する。
【００２４】
本実施形態に係る多機能農具１は、図１及び図３に示すように、基本的な構成として、手で把持できる柄部２と、この柄部２の先端に設けた農具本体部３を有し、全体を、金属板をプレス加工或いは折曲加工するなどにより容易に製作できる。
【００２５】
柄部２は、図２に示すように、打ち抜いた金属板の一部をロール曲加工するなどにより、全体を円筒状に形成する。また、図４に示すように、柄部２の後端部２ｒは、キャップ部材２ｒｐにより閉塞する。この柄部２の長さ及び径の寸法は、手で把持しやすい寸法を考慮すると同時に、特に、後端部２ｒの径Ｌｄ寸法は、土壌Ｇに設ける種蒔用穴Ｇｈ（図５（ｃ）参照）の径寸法を考慮することが望ましい。したがって、柄部２をこのように形成すれば、柄部２に対して穴明け機能を兼用させることができる。
【００２６】
一方、農具本体部３は、図１に示すように、上面部を開放した収容部３ｃと、この収容部３ｃの先端に設けた排出部３ｅとを連続的に一体形成する。
【００２７】
この場合、収容部３ｃは、左右に位置して対峙する一対の側面部３ｃｐ，３ｃｑと、この側面部３ｃｐと３ｃｑの下端辺間に位置する底面部３ｃｄと、側面部３ｃｐと３ｃｑの前端辺間に位置する前面部３ｃｆと、側面部３ｃｐと３ｃｑの後端辺間に位置する後面部３ｃｒとを備え、特に、側面部３ｃｐと３ｃｑは排出方向Ｆｅに沿った平行面に形成する。これにより、収容部３ｃを土壌Ｇに対して、より進入させ易くしている。これにより、移植鏝としての機能性をより高めることができる利点がある。また、底面部３ｃｄは稍前上がりに傾斜形成するとともに、さらに、後面部３ｃｒは下端が前側に位置するように傾斜形成し、前面部３ｃｆは下端が後側に位置するように傾斜形成する。この前面部３ｃｆの傾斜角度は、肥料等の農業用散布物Ｄ（図５（ａ）参照）が良好に排出されるように選定することが望ましい。特に、傾斜角度が緩やかすぎた場合には、農業用散布物Ｄに対して排出規制機能が働かなくなり良好に排出できない。
【００２８】
排出部３ｅは、前面部３ｃｆの上端辺から前方へ連続形成した排出面３ｅｓを有し、この排出面３ｅｓの左右両端には上方へ起立した側面部３ｃｐと３ｃｑの一部が一体形成される。したがって、排出面３ｅｓは、側面部３ｃｐと３ｃｑ間の距離となる所定幅Ｌｗにわたって形成される。これにより、収容部３ｃに収容した農業用散布物Ｄを、当該収容部３ｃを傾斜させることにより、少なくとも所定幅Ｌｗにわたって外部に排出可能な散布機能を有する排出面３ｅｓが形成される。また、この排出面３ｅｓは、図２に示すように、前面から見てジジザグ状となるように凹凸状（三角谷状）に折曲形成する。これにより、図３に示すように、排出方向Ｆｅに沿った複数の溝部１１…が左右方向Ｆｗに配列形成され、農業用散布物Ｄを散布する際に、当該農業用散布物Ｄが側面部に当たるなどにより排出面３ｅｓの中央付近に集まってしまう弊害を回避でき、農業用散布物Ｄを、排出面３ｅｓの左右方向Ｆｗへ確実に分散させる、より均等で能率的な散布を行うことができる利点がある。
【００２９】
なお、一方に位置する側面部３ｃｐの後端上部は結合部２１ｐを介して前述した柄部２における前端の一方側に連続形成するとともに、他方に位置する側面部３ｃｑの後端上部は結合部２１ｑを介して前述した柄部２における前端の他方側に連続形成する。また、実施形態は、後面部３ｃｒの上端辺から後方へ連続形成した結合補助部２１ｓを一体形成した場合を例示する。
【００３０】
次に、本実施形態に係る多機能農具１の使用方法について、図５（ａ）〜（ｃ）を参照して説明する。
【００３１】
本実施形態に係る多機能農具１は、基本機能として、図５（ａ）に示すような肥料散布機能を備えるとともに、さらに、図５（ｂ）に示す移植鏝機能（スコップ機能）及び図５（ｃ）に示す穴明け機能を兼用する。
【００３２】
まず、肥料散布機能を利用する場合には、図５（ａ）に示すように使用する。この場合、農業用散布物Ｄとして固形（粒状，粉状）の肥料を用意し、所定量の肥料を収容部３ｃへ収容する。そして、柄部２を手で持ち、収容部３ｃを前下がりとなるように傾斜させるとともに、左右へ適度に振りながら収容部３ｃに収容した肥料を排出部３ｅを通して排出させればよい。この際、排出面３ｅｓは、所定幅Ｌｗにわたって外部に排出可能な散布機能を備えるため、肥料等の農業用散布物Ｄを左右方向Ｆｗに分散させ、所定幅Ｌｗにわたって均等に散布できる。加えて、排出面３ｅｓには、排出方向Ｆｅに沿った複数の溝部１１…を左右方向Ｆｗに配列形成してあるため、前述したように、肥料が側面部に当たるなどにより排出面３ｅｓの中央付近に集まってしまう弊害を回避でき、肥料を、排出面３ｅｓの左右方向Ｆｗへ確実に分散させることにより、より均等で能率的な散布を行うことができる。
【００３３】
また、移植鏝機能を利用する場合には、図５（ｂ）に示すように使用する。この場合、通常の移植鏝と同様に、排出部３ｅを先端側とし、土壌Ｇに対して、砕く，耕す，削る，掘るなどの作業を行うことができる。特に、実施形態では、収容部３ｃにおける左右に位置して対峙する一対の側面部３ｃｐ，３ｃｑを排出方向Ｆｅに沿った平行面に形成したため、収容部３ｃを土壌Ｇに対してより進入させ易くなるため、移植鏝としての機能性をより高めることができる。
【００３４】
さらに、穴明け機能を利用する場合には、図５（ｃ）に示すように使用する。この場合、柄部２の後端部２ｒは閉塞されているため、後端部２ｒを土壌Ｇに対して、上から押し差すことにより、容易に断面円形の凹部となる種蒔用穴Ｇｈを、土壌Ｇ面に形成することができ、柄部２に穴明け機能を兼用させることができる。
【００３５】
よって、このような本実施形態に係る多機能農具１によれば、農具本体部３を、上面部を開放した収容部３ｃと、この収容部３ｃの先端に設け、当該収容部３ｃに収容した農業用散布物Ｄを、当該収容部３ｃを傾斜させることにより、少なくとも所定幅Ｌｗにわたって外部に排出可能な散布機能を備える排出面３ｅｓを有する排出部３ｅとにより構成したため、肥料等の農業用散布物Ｄを左右方向Ｆｗに分散させ、所定幅Ｌｗにわたって均等に散布できる。しかも、基本構造として、手で把持できる柄部２とこの柄部２の先端に設けた農具本体部３を有するため、スコップ等のように柄部２を手で持って容易かつ手軽に作業することができるなど、農作業を行う際における使い勝手（使い易さ）及び利便性に優れる。
【００３６】
次に、本実施形態に係る多機能農具１における収容部３ｃの変更例及び柄部２の変更例について、図６〜図９を参照して説明する。
【００３７】
まず、図６は、収容部３ｃの変更例を示す。この変更例は、収容部３ｃにおける一対の側面部３ｃｐ，３ｃｑの少なくとも一方における上端辺にノコギリ刃形状部１３を設けものである。例示は一方の側面部３ｃｐに設けた場合を示すが、勿論、両方の側面部３ｃｐ及び３ｃｑに設けてもよい。これにより、図７に示すように、柄２を手で持ち、草Ｈ等の根元にノコギリ刃形状部１３を当てることにより草Ｈ等を容易に刈り取ることができる。なお、この場合、刈り取った草Ｈ等はそのまま収容部３ｃに入れることができるため、他の場所で排出できる。このようなノコギリ刃形状部１３を設ければ、草Ｈ等に対する切断能力を付加できるため、鎌としての草刈り機能を兼用させることができる。
【００３８】
また、図８も、収容部３ｃの変更例を示す。この変更例は、排出部３ｅにおける排出面３ｅｓの先端辺に、前後に凹凸となる波形状部１２を形成したものである。これにより、図５（ｂ）に示すように、移植鏝として使用する場合には、比較的固い土壌Ｇであっても容易に差し込むことができるとともに、移植鏝として使用しない場合であっても、当該排出面３ｅｓを利用して、土壌Ｇに対する、砕く，耕す，削る，掘るなどを効果的に行うことができ、より利便性及び多様性を高めることができる。
【００３９】
一方、図９は、柄部２の変更例を示す。図１に示した基本例は、柄部２の後端部２ｒを閉塞するに際し、キャップ部材２ｒｐを用いた場合を示したが、他方、図９の変更例は、柄部２の内周面に対して、例えば、ネジ込み式に着脱できる栓部材２ｒｓを用いるとともに、さらに、栓部材２ｒｓにおける外部への露出部分を大径円盤状の種蒔用穴形成部１４として形成したものである。この場合、少なくとも後端部２ｒの径Ｌｄ寸法は、土壌Ｇに形成する種蒔用穴Ｇｈの径と同じ大きさ（例えば、５〔ｃｍ〕程度）に選定する。これにより、最適な種蒔用穴Ｇｈを設けることができるとともに、柄部２の外径（太さ）を、手で最も把持しやすい寸法（例えば、３〔ｃｍ〕程度）に選定できる。
【００４０】
また、図９の変更例は、柄部２を種収容部１５に兼用できるように構成した。このため、柄部２は先端面部２ｆを設けて閉塞するとともに、例示のように、柄部２における周面部の先端寄りに取出孔１５ｅを形成した。これにより、栓部材２ｒｓを離脱し、柄部２の中へ種Ｓ（或いは、固形肥料，成長促進材等）を入れた栓部材２ｒｓを装着するとともに、使用時には、取出孔１５ｅから必要量の種Ｓを取り出すことができる。
【００４１】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４２】
例えば、多機能農具１の構成素材として金属板を用いた場合を示したが、硬質プラスチック，セラミックス，各種リサイクル材（複合材）等により一体成形することも可能である。また、木質材を用いる場合を排除するものではない。また、排出部３ｅは、排出面３ｅｓに、排出方向Ｆｅに沿った複数の溝部１１…を、左右方向Ｆｗに配列形成することが望ましいが、必ずしも設けることを要しない。さらに、収容部３ｃは、左右に位置して対峙する一対の側面部３ｃｐ，３ｃｑを排出方向Ｆｅに沿った平行面に形成した場合を例示したが、平行面以外の傾斜面等を排除するものではないとともに、必要により面に凹凸ライン等を設けてもよい。
【産業上の利用可能性】
【００４３】
本発明に係る多機能農具は、土壌に係わる、耕し作業，肥料散布作業，種蒔き作業，草取り作業等の各種の農作業に利用できる。
【符号の説明】
【００４４】
１：多機能農具，２：柄部，２ｒ：後端部，３：農具本体部，３ｃ：収容部，３ｅ：排出部，３ｅｓ：排出面，３ｃｐ：側面部，３ｃｑ：側面部，１１…：溝部，１２：波形状部，１３：ノコギリ刃形状部，Ｄ：農業用散布物，Ｌｗ：所定幅，Ｆｅ：排出方向，Ｆｗ：左右方向，Ｌｄ：後端部の径，Ｇ：土壌，Ｇｈ：種蒔用穴
【図１】
2015097490.tif 000003
【図２】
2015097490.tif 000004
【図３】
2015097490.tif 000005
【図４】
2015097490.tif 000006
【図５】
2015097490.tif 000007
【図６】
2015097490.tif 000008
【図７】
2015097490.tif 000009
【図８】
2015097490.tif 000010
【図９】
2015097490.tif 000011